(57)【要約】【課題】保存先の指定をより容易にすることを目的とする。【解決手段】画像読取装置から画像読取装置で利用可能なスキャンサービスで参照できる格納場所を示す格納場所情報を取得し、取得した格納場所情報に基づき画像ファイルの保存先が格納可能な格納場所であるか否かを判別し、画像ファイルの保存先が格納可能な格納場所であると判別された場合、スキャンサーバから保存先が指定されたスキャンチケットを作成する画面の作成に用いる画面情報を取得し、取得した画面情報に基づきスキャンチケットを作成する画面を表示することによって課題を解決する。【選択図】図１２
2013206153.tif 000002
【特許請求の範囲】
【請求項１】
画像読取装置から画像読取装置で利用可能なスキャンサービスで参照できる格納場所を示す格納場所情報を取得する取得手段と、
前記取得手段により取得された格納場所情報に基づき画像ファイルの保存先が格納可能な格納場所であるか否かを判別し、画像ファイルの保存先が格納可能な格納場所であると判別された場合、スキャンサーバから保存先が指定されたスキャンチケットを作成する画面の作成に用いる画面情報を取得し、取得した画面情報に基づきスキャンチケットを作成する画面を表示する表示手段とを有することを特徴とする情報処理装置。
【請求項２】
前記表示手段は、スキャンサービスを利用可能な画像読取装置の一覧を表示し、
前記取得手段は、指定された画像読取装置から、画像読取装置で利用可能なスキャンサービスで参照できる格納場所を示す格納場所情報を取得することを特徴とする請求項１記載の情報処理装置。
【請求項３】
画像読取装置から画像読取装置で利用可能なスキャンサービスで参照できる格納場所を示す格納場所情報を取得する取得ステップと、
前記取得ステップにより取得された格納場所情報に基づき画像ファイルの保存先が格納可能な格納場所であるか否かを判別し、画像ファイルの保存先が格納可能な格納場所であると判別された場合、スキャンサーバから保存先が指定されたスキャンチケットを作成する画面の作成に用いる画面情報を取得し、取得した画面情報に基づきスキャンチケットを作成する画面を表示する表示ステップとを有することを特徴とする情報処理方法。
【請求項４】
前記表示ステップは、スキャンサービスを利用可能な画像読取装置の一覧を表示し、
前記取得ステップは、指定された画像読取装置から、画像読取装置で利用可能なスキャンサービスで参照できる格納場所を示す格納場所情報を取得することを特徴とする請求項３記載の情報処理方法。
【請求項５】
画像読取装置から画像読取装置で利用可能なスキャンサービスで参照できる格納場所を示す格納場所情報を取得する取得ステップと、
前記取得ステップにより取得された格納場所情報に基づき画像ファイルの保存先が格納可能な格納場所であるか否かを判別し、画像ファイルの保存先が格納可能な格納場所であると判別された場合、スキャンサーバから保存先が指定されたスキャンチケットを作成する画面の作成に用いる画面情報を取得し、取得した画面情報に基づきスキャンチケットを作成する画面を表示する表示ステップとをコンピュータに実行させるプログラム。
【請求項６】
前記表示ステップは、スキャンサービスを利用可能な画像読取装置の一覧を表示し、
前記取得ステップは、指定された画像読取装置から、画像読取装置で利用可能なスキャンサービスで参照できる格納場所を示す格納場所情報を取得することを特徴とする請求項５記載のプログラム。
【請求項７】
ネットワークを介して接続された記憶装置の記憶領域の所在を示す所在情報を記憶部に記憶し、前記記憶領域に記憶されている情報を管理する情報処理装置であって、
規定の処理に用いる設定値および前記処理を行った後の情報の送信先を示す所在情報を含む設定情報に従って、画像形成装置から送信された画像情報の処理を行って前記送信先に送信する処理装置が参照できる送信先のうち、前記記憶部に記憶されている所在情報と同じ所在情報の送信先が存在するか否かを判断する判断手段と、
前記判断手段で存在すると判断された送信先の所在情報が送信先を示す所在情報として指定された、前記処理装置で用いられる設定情報の作成に使用されるユーザインタフェースを表示部に表示する表示手段と、を有することを特徴とする情報処理装置。
【請求項８】
前記判断手段は、前記処理装置が参照できる送信先のうち、前記記憶部に記憶されている所在情報の中で前記表示部において選択されている記憶領域の所在情報と一致する所在情報の送信先が存在するか否かを判断し、
前記表示手段は、前記判断手段で一致する所在情報の送信先が存在すると判断された場合、前記表示部において選択されている記憶領域の所在情報が送信先を示す所在情報として指定された、前記ユーザインタフェースを表示部に表示することを特徴とする請求項７記載の情報処理装置。
【請求項９】
前記表示手段は、前記判断手段で一致する所在情報の送信先が存在しないと判断された場合、前記処理装置が参照できる送信先を示す情報を前記表示部に表示することを特徴とする請求項８記載の情報処理装置。
【請求項１０】
前記表示部に表示された送信先を示す情報のうち、ユーザ操作により指定された送信先を示す情報の送信先について当該情報処理装置で参照できるか否かを判断し、参照できると判断した場合、前記送信先の所在情報を前記記憶部に記憶する記憶手段を更に有することを特徴とする請求項９記載の情報処理装置。
【請求項１１】
ネットワークを介して接続された記憶装置の記憶領域の所在を示す所在情報を記憶部に記憶し、前記記憶領域に記憶されている情報を管理する情報処理装置における情報処理方法であって、
判断手段が、規定の処理に用いる設定値および前記処理を行った後の情報の送信先を示す所在情報を含む設定情報に従って、画像形成装置から送信された画像情報の処理を行って前記送信先に送信する処理装置が参照できる送信先のうち、前記記憶部に記憶されている所在情報と同じ所在情報の送信先が存在するか否かを判断する判断工程と、
表示手段が、前記判断工程で存在すると判断された送信先の所在情報が送信先を示す所在情報として指定された、前記処理装置で用いられる設定情報の作成に使用されるユーザインタフェースを表示部に表示する表示工程と、を有することを特徴とする情報処理方法。
【請求項１２】
前記判断工程では、前記判断手段が、前記処理装置が参照できる送信先のうち、前記記憶部に記憶されている所在情報の中で前記表示部において選択されている記憶領域の所在情報と一致する所在情報の送信先が存在するか否かを判断し、
前記表示工程では、前記表示手段が、前記判断工程で一致する所在情報の送信先が存在すると判断された場合、前記表示部において選択されている記憶領域の所在情報が送信先を示す所在情報として指定された、前記ユーザインタフェースを表示部に表示することを特徴とする請求項１１記載の情報処理方法。
【請求項１３】
前記表示工程では、前記表示手段が、前記判断工程で一致する所在情報の送信先が存在しないと判断された場合、前記処理装置が参照できる送信先を示す情報を前記表示部に表示することを特徴とする請求項１２記載の情報処理方法。
【請求項１４】
記憶手段が、前記表示部に表示された送信先を示す情報のうち、ユーザ操作により指定された送信先を示す情報の送信先について当該情報処理装置で参照できるか否かを判断し、参照できると判断した場合、前記送信先の所在情報を前記記憶部に記憶する記憶工程を更に有することを特徴とする請求項１３記載の情報処理方法。
【請求項１５】
ネットワークを介して接続された記憶装置の記憶領域の所在を示す所在情報を記憶部に記憶し、前記記憶領域に記憶されている情報を管理するコンピュータを、
規定の処理に用いる設定値および前記処理を行った後の情報の送信先を示す所在情報を含む設定情報に従って、画像形成装置から送信された画像情報の処理を行って前記送信先に送信する処理装置が参照できる送信先のうち、前記記憶部に記憶されている所在情報と同じ所在情報の送信先が存在するか否かを判断する判断手段と、
前記判断手段で存在すると判断された送信先の所在情報が送信先を示す所在情報として指定された、前記処理装置で用いられる設定情報の作成に使用されるユーザインタフェースを表示部に表示する表示手段として機能させるプログラム。
【請求項１６】
前記判断手段は、前記処理装置が参照できる送信先のうち、前記記憶部に記憶されている所在情報の中で前記表示部において選択されている記憶領域の所在情報と一致する所在情報の送信先が存在するか否かを判断し、
前記表示手段は、前記判断手段で一致する所在情報の送信先が存在すると判断された場合、前記表示部において選択されている記憶領域の所在情報が送信先を示す所在情報として指定された、前記ユーザインタフェースを表示部に表示することを特徴とする請求項１５記載のプログラム。
【請求項１７】
前記表示手段は、前記判断手段で一致する所在情報の送信先が存在しないと判断された場合、前記処理装置が参照できる送信先を示す情報を前記表示部に表示することを特徴とする請求項１６記載のプログラム。
【請求項１８】
前記表示部に表示された送信先を示す情報のうち、ユーザ操作により指定された送信先を示す情報の送信先について当該コンピュータで参照できるか否かを判断し、参照できると判断した場合、前記送信先の所在情報を前記記憶部に記憶する記憶手段を更に有することを特徴とする請求項１７記載のプログラム。
【発明の詳細な説明】
【技術分野】
【０００１】
本発明は、情報処理装置、情報処理方法、及びプログラムに関する。
【背景技術】
【０００２】
従来、ユーザは、コンピュータの資源を自分自身で保管、管理し、その資源を用いた機能の中で様々な機能を使用していた。近年、インターネットを利用して機能を使用し、その使用に応じて料金を支払うという利用の形態が増えてきている。機能の提供は、サービスの提供と呼ばれ、インターネットを利用した機能の提供は、クラウドサービスの提供と呼ばれている。既に実現されているクラウドサービスには、スキャンサービス、オンラインストレージサービス等がある。
スキャンサービスでは、画像読取装置で読み取られた画像（スキャンデータ）が画像ファイルに変換される際の様々な処理は、外部のコンピュータにて実行される。スキャンサービスによれば、画像読取装置の能力、資源に依存することなく価値の高い画像ファイル（高圧縮ＰＤＦ、ＯＣＲされたＰＤＦ等）を作成することができる。
【０００３】
オンラインストレージサービスによれば、文書などのファイルを、自分のコンピュータではなく、外部のコンピュータのストレージ（外部ストレージ）に保存することができる。なお、ユーザは、インターネットを介して外部ストレージにアクセスし、割り当てられたディスクスペースに対して、自由に読み書きできる。
これらのクラウドサービスにより、画像読取装置に複雑な機能を設けなくても、ユーザが所望するデータ形式に変換された画像ファイルにスキャンデータを変換し、画像ファイルを外部ストレージに保存することが可能となっている。
例えばスキャンサービスからオンラインストレージサービスを連携させて利用することで、画像読取装置で読み取られた画像を外部のコンピュータで価値の高い画像ファイルとして外部ストレージに保存することも可能である。ただし、画像読取装置で読み取られた画像の画像ファイルを外部ストレージに保存する場合、予め保存可能な位置（保存領域）を指定しておく必要がある。ここで、画像読取装置で原稿を読み取った後に保存領域を指定可能にする方法が開示されている（特許文献１参照）。
【先行技術文献】
【特許文献】
【０００４】
【特許文献１】特開２００１−１６９０６５号公報
【発明の概要】
【発明が解決しようとする課題】
【０００５】
しかしながら、従来技術では、画像読取装置においては保存できる保存領域であるか否かがスキャンを実行した後に判別可能であるので、ユーザが保存したい保存領域に画像ファイルを保存できない事態が生じ得る。
また、近年は、画像読取装置からオンラインストレージサービスが利用可能であるが、画像読取装置から外部ストレージに対して、スキャンデータ、画像ファイル等を保存できるか否かは画像読取装置の機能に準じてしまう。また、保存したい保存領域に対して、画像ファイルを保存できるとしても、従来技術では、画像読取装置から外部ストレージを指定しなければならず、保存する保存領域が階層の深い場所にあると指定が煩雑になる。
【０００６】
本発明はこのような問題点に鑑みなされたもので、保存先の指定をより容易にすることを目的とする。
【課題を解決するための手段】
【０００７】
そこで、本発明に係る情報処理装置は、画像読取装置から画像読取装置で利用可能なスキャンサービスで参照できる格納場所を示す格納場所情報を取得する取得手段と、前記取得手段により取得された格納場所情報に基づき画像ファイルの保存先が格納可能な格納場所であるか否かを判別し、画像ファイルの保存先が格納可能な格納場所であると判別された場合、スキャンサーバから保存先が指定されたスキャンチケットを作成する画面の作成に用いる画面情報を取得し、取得した画面情報に基づきスキャンチケットを作成する画面を表示する表示手段とを有することを特徴とする。
【０００８】
また、本発明は、方法、プログラム、システム、記憶媒体などとしてもよい。
【発明の効果】
【０００９】
本発明によれば、保存先の指定をより容易にすることができる。
【図面の簡単な説明】
【００１０】
【図１】システムの構成の一例を示す図である。
【図２】情報処理装置のハードウェアの構成の一例を示す図である。
【図３】画像読取装置の構成の一例を示す図である。
【図４】文書管理サーバの構成の一例を示す図である。
【図５】スキャンサーバの構成の一例を示す図である。
【図６】スキャンチケット情報の一例を示す図である。
【図７】スキャンチケット保存部のデータ構造の一例を示す図である。
【図８】ユーザインタフェースの一例を示す図である。
【図９】ユーザインタフェースの一例を示す図である。
【図１０】ユーザインタフェースの一例を示す図である。
【図１１】情報処理装置で動作するソフトウェアの構成の一例を示す図である。
【図１２】表示処理に係るフローチャートの一例を示す図である。
【図１３】ユーザインタフェースの一例を示す図である。
【図１４】シーケンスの一例を示す図である。
【図１５】表示処理に係るフローチャートの一例を示す図である。
【発明を実施するための形態】
【００１１】
以下、本発明の実施形態について図面に基づいて説明する。なお、実施形態は、本発明を限定するものではなく、また、実施形態で説明されている全ての構成が本発明の課題を解決するための手段に必須であるとは限らない。
【００１２】
＜第１の実施形態＞
図１は、本実施形態に係るシステムの構成の一例を示す図である。情報処理装置１０１は、コンピュータの一例であり、画像読取装置１０２とコマンド通信可能なネットワーク１０３を介して接続されている。画像読取装置１０２は、画像形成装置の一例（ＭＦＰなど）である。情報処理装置１０１及び画像読取装置１０２は、コマンド通信可能なネットワーク１０３を介してインターネット１０４（ネットワークの一例）と接続されている。
ストレージサービスを提供する文書管理サーバ１０５は、情報処理装置（コンピュータ）の一例であり、スキャンサービスを提供するスキャンサーバ１０６は、情報処理装置（コンピュータ）の一例である。文書管理サーバ１０５及びスキャンサーバ１０６の各々は、インターネット１０４と接続され、インターネット１０４を介してストレージサービス、スキャンサービス等のクラウドサービスを提供する。
なお、画像読取装置１０２、文書管理サーバ１０５、及びスキャンサーバ１０６の各々は、複数設けられる構成であってもよい。
【００１３】
図２は、情報処理装置１０１のハードウェアの構成の一例を示す図である。なお、スキャンサーバ１０６及び文書管理サーバ１０５は、基本的には、図２に示すハードウェアと同じハードウェアを有するので、その説明については省略する。
ＣＰＵ２０１は、論理演算、及び各種の制御を行う中央演算処理装置の一例である。ＣＰＵ２０１は、ＨＤＤ２０６に格納されている各種のアプリケーションプログラム、プリンタドライバプログラム、ＯＳ等を実行し、ＲＡＭ２０５にプログラムの実行に必要な情報、ファイル等を一時的に格納する。
【００１４】
ＲＯＭ２０２は、読み出し専用のメモリの一例であり、内部には、基本Ｉ／Ｏプログラム等のプログラム、文書処理の際に使用するフォントデータ、テンプレート用データ等の各種のデータを記憶する。ＮＩＣ（Network Interface Card）２０３は、ネットワークインタフェースの一例であり、ＮＩＣ２０３を介して情報処理装置１０１は、外部の装置とのデータのやり取りを行う。
キーボード２０４は、入力装置の一例であり、例えば後述の文書管理アプリケーションに対する制御コマンドの命令などをユーザが入力（指示）するデバイスである。入力装置は、キーボードに限られるものではなく、マウス、タッチパネル、ペンタブレット等のポインティングデバイスであってもよい。
【００１５】
ＲＡＭ２０５は、随時にデータの読み書きができるメモリの一例であり、ＣＰＵ２０１の主メモリ、ワークエリア等として機能する。ＨＤＤ２０６は、外部記憶装置の一例であり、大容量メモリとして機能するハードディスク（ＨＤ）であり、アプリケーションプログラム、プリンタドライバプログラム、ＯＳ、ネットワークプリンタ制御プログラム、関係プログラム等を格納している。
ディスプレイ２０７は、出力装置の一例であり、キーボード２０４から入力したコマンド、例えば後述の文書管理アプリケーションの状態等を表示する。ＦＤドライブ２０８は、フレキシブルディスク（ＦＤ）ドライブであり、ＦＤドライブ２０８を介して記憶媒体の一例であるＦＤ２０９に記憶されたプログラム等を情報処理装置１０１にロードする。ＦＤ２０９は、フレキシブルディスク（ＦＤ）であり、コンピュータが読み取り可能なプログラムを記憶する。
【００１６】
なお、記憶媒体は、ＦＤに限られるものではなく、ＣＤ−ＲＯＭ、ＣＤ−Ｒ、ＣＤ−ＲＷ、ＰＣカード、ＤＶＤ、ＩＣメモリカード、ＭＯ、メモリスティック等であってもよい。システムバス２１０は、情報処理装置１０１内の各デバイス（２０１〜２０８）を接続するバスであり、情報処理装置１０１内のデータの流れを司る。
ここで、画像読取装置１０２は、情報処理装置１０１と基本的には同じハードウェアを有し、スキャナ等の画像読取装置、プリンタ等の印刷装置などのデバイスを更に有する。ただし、画像読取装置１０２の構成は、この構成に限られるものではなく、適宜に変更可能である。例えば、画像読取装置１０２の入力装置及び出力装置としては、キーボード２０４及びディスプレイ２０７に代えて、タッチパネルが設けられてもよい。
【００１７】
図３は、画像読取装置１０２の構成の一例を示す図である。入力画像処理部３０１は、紙原稿などを画像読取装置を介して読み取り、読み取られた画像データ（スキャンデータ）を画像処理する。入力画像処理部３０１から入力されたスキャンデータは、ＭＦＰ制御部３０３に送られる。なお、スキャンデータは、画像情報の一例である。画像情報には、ファクシミリ受信した画像データなどがある。
ＮＩＣ部３０２は、ネットワークを利用して外部からのリクエストをリクエスト処理部３０４に渡し、画像読取装置１０２内部の画像データ、装置情報などをネットワーク経由で外部に送信する。ＭＦＰ制御部３０３は、画像読取装置１０２に入力されるデータ、画像読取装置１０２から出力するデータを制御する交通整理の役割を果たす。
【００１８】
リクエスト処理部３０４は、Ｗｅｂブラウザ３０５及びＮＩＣ部３０２から受け取る外部からのリクエストを解析して実行する。実行の結果は、Ｗｅｂブラウザ３０５を介して操作部３０６によりディスプレイ２０７に表示される。或いは、ＮＩＣ部３０２を介して外部の装置（クラウドサービス）へ送信される。
操作部３０６は、Ｗｅｂブラウザ３０５をディスプレイ２０７に表示し、Ｗｅｂブラウザ３０５を介して、ユーザからの指示、入力を受け付ける。Ｗｅｂサービス記憶部３０９は、外部のクラウドサービス（スキャンサービス等）への接続に用いる情報（参照先の情報）を記憶している。
操作部３０６によって外部のクラウドサービスの実行が指示されると、リクエスト処理部３０４は、Ｗｅｂサービス記憶部３０９に登録されている参照先のクラウドサービスに対して、クラウドサービスのリクエストを送信する。なお、本実施形態では、リクエスト処理部３０４は、後述のスキャンチケット管理部５０１にリクエストを送信する。
出力画像処理部３０７は、印刷（プリント）するための画像処理を画像データに施してプリンタ部３０８に送る。プリンタ部３０８は、印刷装置を制御し、シートを給紙し、出力画像処理部３０７で画像処理された画像データを当該シート上に順次に記録（印字など）する。
【００１９】
図４は、文書管理サーバ１０５の構成の一例を示す図である。文書管理サーバ１０５の構成については、複数台の装置で分担するようにしてもよい。
文書登録リクエスト受信部４０１は、インターネット１０４（情報処理装置１０１、スキャンサーバ１０６等）から文書（画像ファイル等）を登録するリクエスト（文書登録要求）を受信する。受信した文書登録要求の文書は、文書登録処理部４０２に渡され、記憶領域の一例である文書記憶部４０３（ＨＤＤ２０６等）に格納される。文書登録処理部４０２は、文書を文書記憶部４０３に格納するときにキャビネット、フォルダ、文書を階層構造で管理することが可能であるが、詳細についての説明は省略する。
文書送信リクエスト受信部４０４は、インターネット１０４から文書を取得するリクエスト（文書取得要求）を受信する。受信した文書取得要求は、登録文書検索部４０５に渡される。登録文書検索部４０５は、文書記憶部４０３に記憶されている文書から、要求された文書を読み出す。登録文書検索部４０５は、読み出した文書を登録文書送信処理部４０７に渡す。登録文書送信処理部４０７は、読み出された文書を、文書データ送信部４０６を介してリクエストの送信先へ送信する。
【００２０】
図５は、スキャンサーバ１０６の構成の一例を示す図である。スキャンサーバ１０６の構成については、複数台の装置で分担するようにしてもよい。
スキャンチケット管理部５０１は、スキャンチケットを作成する。より具体的には、スキャンチケット管理部５０１は、情報処理装置１０１から送信されたスキャン設定情報を受け取ると、スキャンチケットを作成する。スキャンチケット管理部５０１は、作成したスキャンチケットを、スキャンサービス部５０４を介してスキャンチケット情報（設定情報の一例）として、スキャンチケット保存部５０６（ＨＤＤ２０６等）に格納する。なお、スキャンチケット情報を、他の装置（情報処理装置１０１、画像読取装置１０２等）に送信する構成としてもよい。
スキャンチケット実行部５０２は、スキャンチケット一覧情報を画像読取装置１０２に送信し、送信したスキャンチケット一覧情報のうち画像読取装置１０２で選択されたスキャンチケットを実行する。なお、スキャンチケット実行部５０２は、画像読取装置１０２から送信されてきたスキャンチケット一覧情報の取得の要求（リクエスト）を受信すると、スキャンサービス部５０４に対してスキャンチケット一覧情報の取得を依頼する。
【００２１】
スキャンサービス部５０４は、スキャンチケット保存部５０６から、スキャンチケット一覧情報を取得し、スキャンチケット実行部５０２を介して、画像読取装置１０２に送信する。
ここで、スキャンチケット実行部５０２は、画像読取装置１０２に送信したスキャンチケット一覧情報の中から画像読取装置１０２で指定されたスキャンチケット情報と画像読取装置１０２で読み込まれた画像データとを画像読取装置１０２から受信する。画像処理部５０５は、スキャンチケット情報に基づいて、画像データを、高圧縮ＰＤＦ、ＯＣＲされたＰＤＦ等に変換する画像処理（より価値の高い情報にする規定の処理の一例）を行う。また、文書登録リクエスト部５０３は、スキャンチケット情報に基づいて、処理後の画像データ（画像ファイル）を保存するリクエスト（文書登録要求）を文書管理サーバ１０５に送信する。
【００２２】
図６は、スキャンチケット情報の一例を示す図である。スキャンチケット情報には、スキャンの設定項目に関する設定値、例えばスキャンチケットＩＤ、解像度、カラーモード、倍率、両面読取、読取サイズ、文書ファイル名、保存先、ＯＣＲ処理を実施するか否かを示すフラグであるＯＣＲ処理の情報が含まれる。スキャンチケット情報には、図６で示される情報以外の情報（他のスキャン設定情報、画像関連情報、文書関連情報等）が含まれていてもよいし、図６で示される情報の一部が含まれていなくてもよい。
図７は、スキャンチケット保存部５０６のデータ構造の一例（保存されているスキャンチケット情報）を示す図である。スキャンチケット保存部５０６には、図６で示されるスキャンチケット情報が画像読取装置に対応付けられて複数格納されている。なお、本実施形態では、画像読取装置がスキャンサービスの実行のリクエストを送信すると、当該画像読取装置に対応するスキャンチケット情報が一又は複数含まれるスキャンチケット一覧情報が、当該画像読取装置に送信される。
【００２３】
図８は、ユーザインタフェースの一例（スキャンチケット作成画面８０１）を示す図である。スキャンチケット作成画面８０１は、情報処理装置１０１のＣＰＵ２０１の命令に基づいて情報処理装置１０１のディスプレイ２０７に表示される。
スキャンチケット作成画面８０１では、ユーザは、解像度、カラーモード、倍率、両面読取、読取サイズ、文書ファイル名、保存先、ＯＣＲ処理の実行可否などを指定することが可能である。スキャンチケット作成画面８０１で選択された情報（スキャン設定情報）は、インターネット１０４を経由してスキャンサーバ１０６に送信され、スキャンチケット情報としてスキャンチケット保存部５０６に保存される。
【００２４】
図９は、ユーザインタフェースの一例（スキャンチケット選択画面９０１）を示す図である。スキャンチケット選択画面９０１は、スキャンサーバ１０６から受信したスキャンチケット一覧情報をもとに操作部３０６により画像読取装置１０２のディスプレイ２０７に表示される。
スキャンチケット選択画面９０１では、スキャンチケット情報がボタンの形式で（スキャンチケットボタン９０２等として）示される。画像読取装置１０２は、スキャンチケットボタンが選択されると、選択されたスキャンチケットボタンのスキャンチケット情報と読み取った画像データ（スキャンデータ）とをスキャンサーバ１０６に送信する。
【００２５】
図１０は、ユーザインタフェースの一例（文書管理画面１０００）を示す図である。文書管理画面１０００は、情報処理装置１０１のディスプレイ２０７に表示される。
メニューバー１００１は、各種の設定値の入力を行うための項目（選択肢）を表示する。アドレスバー１００２は、レポジトリエリア１００３、文書リストエリア１００４などで選択中の文書アイコンの文書（画像ファイル等）の格納場所を示すＵＲＬ（情報が記憶されている記憶領域の所在を示す所在情報の一例）を表示する。レポジトリエリア１００３は、文書管理アプリケーション（ＨＤＤ２０６）に登録されている文書の保存先を示すライブラリー１００８及びフォルダ１００９を階層構造で表示する。
文書プレビューエリア１００５は、文書リストエリア１００４で選択された文書の中身を表示する。文書プロパティ表示及び編集エリア１００６は、文書リストエリア１００４で選択された文書のプロパティを表示し、該プロパティを編集可能な領域である。アウトプットリストエリア１００７は、文書管理アプリケーション（ＨＤＤ２０６）に登録されている画像読取装置の情報（画像読取装置アイコン１０１１等）を列挙する。例えば、文書リストエリア１００４で文書が選択され、画像読取装置アイコン１０１１が指定されると、画像読取装置アイコン１０１１の画像読取装置に対して当該文書の印刷が指示される。
【００２６】
なお、ユーザインタフェースがユーザ操作されることで、接続先設定処理、監視対象フォルダ設定処理、移動先フォルダ設定処理が行われる。
また、ユーザインタフェースの形態（位置、大きさ、範囲、配置、表示内容など）は、図に示す形態に限定されるものではない。例えば、文書リストエリア１００４及びアウトプットリストエリア１００７に表示されるものは、サムネイル、アイコンに限られるものではない。例えば、文書リストエリア１００４及びアウトプットリストエリア１００７は、文書を特定するためのファイル名、周辺機器を特定するためのデバイス名などの文字列をリストの形式で表示する構成であってもよい。
【００２７】
図１１は、情報処理装置１０１で動作するソフトウェアの構成の一例を示す図である。ＵＩ表示部１１０１は、スキャンチケット作成画面８０１、文書管理画面１０００などを情報処理装置１０１のディスプレイ２０７に表示する。文書管理制御部１１０２は、ＵＩ表示部１１０１で指定された文書を表示するために文書保存管理部１１０３に対して文書を要求する。文書保存管理部１１０３は、文書管理サーバ１０５に接続し、文書を取得するリクエスト（文書取得要求）を送信して所望の文書を取得する。
文書のプロパティの編集が指示された場合、ＵＩ表示部１１０１から文書管理制御部１１０２へ命令が実行される。文書管理制御部１１０２は、プロパティ編集部１１０４に対してプロパティの編集を要求し、プロパティ編集部１１０４は、文書管理サーバ１０５に対して編集を実行する。
出力管理部１１０５は、文書の印刷を制御する。スキャンサービス管理部１１０６は、スキャンサーバ１０６に接続し、スキャンチケットを作成するための画面（スキャンチケット作成画面）の作成に用いる情報を取得する。デバイス制御部１１０７は、例えば、画像読取装置１０２に接続し、画像読取装置１０２がスキャンサーバ１０６に対して接続可能であるか否かを判断する。
【００２８】
次に、文書管理アプリケーションがスキャンサービスを利用可能な画像読取装置を判別し、スキャンチケット作成画面を表示する処理（表示処理）について図１２を用いて説明する。図１２は、表示処理に係るフローチャートの一例を示す図である。なお、フローチャートに係る処理を行う文書管理アプリケーションのプログラムは、ＨＤＤ２０６に記憶されており、ＣＰＵ２０１によってＲＡＭ２０５に読み出されて実行される。なお、文書管理アプリケーションが行う以下に示す処理の一部については、他のソフトウェア、専用のハードウェアが行うようにしてもよい。
文書管理アプリケーションは、デバイス制御部１１０７によりＨＤＤ２０６に登録されている画像読取装置の情報を取得する（Ｓ１２０１）。
【００２９】
次に、文書管理アプリケーションは、取得した一の画像読取装置について、スキャンサービスを利用可能であるかどうかを確認する（Ｓ１２０２）。スキャンサービスを利用可能であるかどうかを確認する方法については、適宜の方法を採用できる。例えば、文書管理アプリケーションは、利用可能なスキャンサービスの有無を確認する問合せを画像読取装置に行い、画像読取装置からの返答に応じてスキャンサービスを利用可能であるかどうかを確認する。
次に、文書管理アプリケーションは、スキャンサービスを利用可能であると判断した場合、Ｓ１２０４に処理を進め、他方、スキャンサービスを利用可能でないと判断した場合、Ｓ１２０５に処理を進める（Ｓ１２０３）。
【００３０】
Ｓ１２０４にて、文書管理アプリケーションは、処理の対象の画像読取装置の情報を使用可能な画像読取装置としてＲＡＭ２０５に記憶する。Ｓ１２０５にて、文書管理アプリケーションは、Ｓ１２０１で取得した画像読取装置の全てに対して、スキャンサービスを利用可能であるか否かを判断したかを確認する。文書管理アプリケーションは、未確認のものがないと判断した場合、Ｓ１２１４に処理を進め、他方、未確認のものがあると判断した場合、Ｓ１２０２に処理を戻す。
Ｓ１２１４では、文書管理アプリケーションは、使用可能な画像読取装置があるかどうか、本実施形態ではＲＡＭ２０５に使用可能な画像読取装置の情報が記憶されているか否かを確認する。文書管理アプリケーションは、使用可能な画像読取装置があると判断した場合、Ｓ１２０６に処理を進め、他方、使用可能な画像読取装置がないと判断した場合、Ｓ１２１５に処理を進める。Ｓ１２１５にて、文書管理アプリケーションは、スキャンサービスを利用可能な画像読取装置がない旨のエラーを表示し、処理を終了する。
【００３１】
Ｓ１２０６にて、文書管理アプリケーションは、使用可能な画像読取装置の一覧を表示する（例えば図１３の画面１３０１を参照のこと。）。次に、文書管理アプリケーションは、ユーザ操作に基づいて、スキャンサービスを利用可能な画像読取装置のうち使用する画像読取装置を指定する（Ｓ１２０７）。
次に、文書管理アプリケーションは、指定した画像読取装置から、当該画像読取装置で利用可能なスキャンサービスで参照できる文書管理サービスにおける格納場所を示す情報（参照先：格納場所情報の一例）を取得する（Ｓ１２０８）。次に、文書管理アプリケーションは、レポジトリエリア１００３で参照可能な格納場所（位置）のうち、現在参照しているレポジトリエリア１００３の格納場所のＵＲＬをアドレスバー１００２等から取得する（Ｓ１２０９）。
【００３２】
文書管理アプリケーションは、Ｓ１２０８で取得した格納場所を示す情報（参照先）とＳ１２０９で取得したＵＲＬとを比較し、画像ファイルの保存先が格納可能な格納場所であるか否かを確認する（Ｓ１２１０）。文書管理アプリケーションは、参照先にアクセスできる場合、例えば参照先の格納場所のうちＵＲＬの格納場所と一致するものがあると判断した場合、保存先が格納可能な格納場所であると判断する。文書管理アプリケーションは、格納可能な格納場所であると判断した場合、Ｓ１２１１に処理を進め、他方、格納可能な格納場所でないと判断した場合、Ｓ１２１２に処理を進める。
Ｓ１２１２にて、文書管理アプリケーションは、画像ファイルを格納できない旨のエラーを表示する。Ｓ１２１１にて、文書管理アプリケーションは、保存先（Ｓ１２０９で取得したＵＲＬ）をスキャンサーバ１０６に送信し、スキャンサーバ１０６から保存先が指定されたスキャンチケット作成画面の作成に用いる情報（例えば画面情報）を取得する。次に、文書管理アプリケーションは、スキャンチケット作成画面をディスプレイ２０７に表示する（Ｓ１２１３）。
【００３３】
図１３は、ユーザインタフェースの一例（スキャンサービスを利用可能な画像読取装置の一覧を示した画面１３０１）を示す図である。図１３では、スキャンサービスの単位で表示する例として示しているが、表示方法はこれに限られるものではない。
図１４は、本実施形態に係るシステムに係るシーケンスの一例を示す図である。本シーケンスでは、一の画像読取装置（画像読取装置１０２）に着目した場合のスキャンチケット作成画面の表示処理について説明する。
情報処理装置１０１（文書管理アプリケーション）は、画像読取装置１０２に対してスキャンサービスを利用可能であるか（持っているか）を確認し（Ｓ１４０１）する。情報処理装置１０１は、画像読取装置１０２から、画像読取装置１０２で利用可能なスキャンサービスで参照できる文書管理サービスにおける格納場所を示す情報（参照先）を取得する（Ｓ１４０２）。情報処理装置１０１は、現在参照している文書管理サービスのＵＲＬをアドレスバー１００２等から取得する（Ｓ１４０３）。
【００３４】
情報処理装置１０１は、Ｓ１４０２で取得した参照先のうちＳ１４０３で取得したＵＲＬと一致するものがあると判断した場合、画像読取装置１０２から参照先を取得したスキャンサービスのスキャンサーバ１０６に対して接続する（Ｓ１４０４）。情報処理装置１０１は、保存先（Ｓ１４０３で取得したＵＲＬ）を指定し、スキャンチケット作成画面の作成に用いる情報を依頼する（Ｓ１４０５）。
スキャンサーバ１０６は、依頼に対して、保存先を指定したスキャンチケット作成画面の作成に用いる情報を返却する（Ｓ１４０６）。情報処理装置１０１は、スキャンチケット作成画面の作成に用いる情報をもとに、スキャンチケット作成画面をディスプレイ２０７に表示する（Ｓ１４０７）。
【００３５】
上述した構成によれば、情報処理装置より参照可能であり、画像読取装置からスキャンサーバを介して保存可能である保存場所の情報を含むスキャンに係る設定情報を事前に登録できるので、スキャン実行時の保存場所の指定の煩雑さを軽減することが可能となる。
【００３６】
＜第２の実施形態＞
本実施形態では、指定された画像読取装置が利用可能なスキャンサービスの参照先が格納可能な格納場所でないと判断した場合（第１の実施形態におけるＳ１２１２のＮＯのケース）における他の構成について図１５を用いて説明する。図１５は、表示処理に係るフローチャートの一例を示す図である。図１５では、図１２のフローチャートと同じ処理には、同じ符号を付してその説明を適宜省略する。
文書管理アプリケーションは、Ｓ１２０８で取得した参照先とＳ１２０９で取得したＵＲＬとを比較し、保存先が格納可能な格納場所であるか否かを確認する（Ｓ１２１０）。文書管理アプリケーションは、格納可能であると判断した場合、Ｓ１２１１に処理を進め、他方、格納可能な格納場所でないと判断した場合、Ｓ１５０１に処理を進める。
【００３７】
Ｓ１５０１にて、文書管理アプリケーションは、Ｓ１２０８で取得したスキャンサービスで参照できる文書管理サービスにおける格納場所を示す情報（参照先）をディスプレイ２０７に表示する。次に、文書管理アプリケーションは、表示した参照先の中から保存先とする参照先を指定するユーザ操作を受け付けたか否かを確認する（Ｓ１５０２）。文書管理アプリケーションは、指定するユーザ操作を受け付けたと判断した場合、Ｓ１５０３に処理を進め、他方、指定するユーザ操作を受け付けなかったと判断した場合、処理を終了する。
Ｓ１５０３にて、文書管理アプリケーションは、指定された参照先（保存先）が、文書管理アプリケーション（ＨＤＤ２０６）に登録されている文書管理サービスにおける格納場所であるかどうかを確認する。例えば、文書管理アプリケーションは、指定された参照先が、文書管理サービスにおいて現在参照している格納場所以外の格納場所のＵＲＬであるかを確認する。更に、文書管理アプリケーションは、文書管理アプリケーションに登録されている文書管理サービスとは異なる文書管理サービスの格納場所のＵＲＬであるかを確認する。
【００３８】
文書管理アプリケーションは、登録されている文書管理サービスの格納場所であると判断した場合、保存先をスキャンサーバ１０６に送信し、スキャンサーバ１０６から保存先が指定されたスキャンチケット作成画面の作成に用いる情報を取得する。そして、Ｓ１２１３に処理が進められる。他方、文書管理アプリケーションは、登録されている文書管理サービスの格納場所でないと判断した場合、Ｓ１５０４に処理を進める。
Ｓ１５０４にて、文書管理アプリケーションは、指定された参照先を文書管理アプリケーションに登録可能であるか否かを確認する。登録可能であるかどうかを確認する方法については、適宜の方法を採用できる。例えば、文書管理アプリケーションは、指定された参照先に参照できるか否かを確認する問合せを文書管理サーバ１０５に行い、文書管理サーバ１０５からの返答に応じて登録可能であるかどうかを確認する。
【００３９】
文書管理アプリケーションは、登録可能であると判断した場合、Ｓ１５０５に処理を進め、他方、登録可能でないと判断した場合、Ｓ１２１３に処理を進める。Ｓ１５０５にて、文書管理アプリケーションは、指定された参照先をＨＤＤ２０６に登録する。これにより、例えば、文書管理画面１０００では、レポジトリエリア１００３にライブラリー或いはフォルダとして表示される。
本実施形態の構成によれば、スキャン実行時の保存場所の指定の煩雑さを更に軽減することが可能となる。
【００４０】
＜その他の実施形態＞
上述した実施形態は上述した構成に限られるものではない。
例えば、情報処理装置１０１は、スキャンサービスに接続した際（例えば１４０４において）、スキャンサービスを使用可能な画像読取装置をスキャンサーバ１０６から取得する。そして、情報処理装置１０１は、文書管理アプリケーションが管理している画像読取装置の一覧に登録されていない画像読取装置が存在すると判断した場合、登録されていない画像読取装置をユーザに通知する構成を採用してもよい。
【００４１】
また、スキャンチケット作成画面の作成方法は、上述の構成に限られるものではない。例えば、文書管理アプリケーションは、保存先をスキャンサーバ１０６に送信することなく、スキャンチケット作成画面の作成に用いる情報をスキャンサーバ１０６から取得する。即ち、文書管理アプリケーションは、保存先と、スキャンサーバ１０６から取得したスキャンチケット作成画面の作成に用いる情報とを用いて、保存先を指定したスキャンチケット作成画面を作成する構成であってもよい。
また、上述した実施形態の構成は、適宜組み合わせて採用できる。
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【００４２】
上述した実施形態の構成によれば、保存先の指定をより容易にすることができる。
【００４３】
以上、本発明の好ましい実施形態について詳述したが、本発明は係る特定の実施形態に限定されるものではなく、特許請求の範囲に記載された本発明の要旨の範囲内において、種々の変形・変更が可能である。
【図１】
2013206153.tif 000003
【図２】
2013206153.tif 000004
【図３】
2013206153.tif 000005
【図４】
2013206153.tif 000006
【図５】
2013206153.tif 000007
【図６】
2013206153.tif 000008
【図７】
2013206153.tif 000009
【図８】
2013206153.tif 000010
【図９】
2013206153.tif 000011
【図１０】
2013206153.tif 000012
【図１１】
2013206153.tif 000013
【図１２】
2013206153.tif 000014
【図１３】
2013206153.tif 000015
【図１４】
2013206153.tif 000016
【図１５】
2013206153.tif 000017